【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
(a)式
【化１】
2010506037.tif 000001
を有するイソプレノイド化合物又はその立体異性体であって、上式で、ZはH、O-R又はO-C(=O)Rであり;かつRはH、アルキル、シクロアルキル、アリール、アルカリール又はアラルキルであり、該イソプレノイド化合物の量が該燃料組成物の全重量に基づき少なくとも2%である、前記イソプレノイド化合物又はその立体異性体と;
(b)燃料成分と;を含む混合物を含む、燃料組成物。
【請求項２】
T90蒸留温度が282℃から338℃である、請求項1記載の燃料組成物。
【請求項３】
前記イソプレノイド化合物の量が前記燃料組成物の全重量に基づき5重量%から90重量%である、請求項1記載の燃料組成物。
【請求項４】
前記イソプレノイド化合物の量が、前記燃料組成物の全重量に基づき少なくとも10重量%である、請求項1記載の燃料組成物。
【請求項５】
前記燃料組成物が、該燃料組成物の全重量に基づき20ppm未満の硫黄含有量を有し、かつ該燃料組成物の全容量に基づき20容量%未満の芳香族含有量を有する、請求項1記載の燃料組成物。
【請求項６】
前記燃料組成物が、100℃を超える初留点を有し、かつ200℃を超える終留点を有する、請求項1記載の燃料組成物。
【請求項７】
前記燃料組成物が100℃と150℃の間の初留点及び300℃を超える終留点を有する、請求項1記載の燃料組成物。
【請求項８】
前記燃料成分が留出ディーゼル燃料を含み、該留出ディーゼル燃料の量が前記燃料組成物の全重量に基づき少なくとも10重量%である、請求項1記載の燃料組成物。
【請求項９】
(a)少なくとも50容量%の量の燃料成分と;
(b)少なくとも2容量%以上かつ50容量%未満の式
【化２】
2010506037.tif 000002
のイソプレノイド化合物又はその立体異性体と;
を含む混合物を含む燃料組成物であって、上式で、ZはH、O-R又はO-C(=O)Rであり;かつRはH、アルキル、シクロアルキル、アリール、アルカリール又はアラルキルである、前記燃料組成物。
【請求項１０】
燃料添加剤をさらに含む、請求項1〜9のいずれかに記載の燃料組成物。
【請求項１１】
前記燃料添加剤が、潤滑性向上剤、抗酸化剤、熱安定性向上剤、セタン向上剤、安定剤、コールドフロー向上剤、助燃剤、泡止め剤、濁り防止添加剤、腐食抑制剤、アイシング抑制剤、噴射器清浄添加剤、煙抑制剤、ドラッギング低減添加剤、金属活性低下剤、分散剤、界面活性剤、デマルシファイアー、色素、マーカー、静電放散剤、殺生物剤及びそれらの組合せからなる群から選択される、請求項10記載の燃料組成物。
【請求項１２】
前記燃料成分がジェット燃料、ディーゼル燃料、又は留出ディーゼル燃料である、請求項1〜9のいずれかに記載の燃料組成物。
【請求項１３】
前記イソプレノイド化合物が、
【化３】
2010506037.tif 000003
若しくはその立体異性体(式中、ZはOHである)、又は
【化４】
2010506037.tif 000004
若しくはその立体異性体(式中、RはH、アルキル、シクロアルキル、アリール、アルカリール又はアラルキルである)である、請求項1〜9のいずれかに記載の燃料組成物。
【請求項１４】
前記イソプレノイド化合物が式(IV)であり、式中RはC1〜C3アルキルである、請求項13記載の燃料組成物。
【請求項１５】
燃料組成物の製造方法であって、式
【化５】
2010506037.tif 000005
を有するイソプレノイド化合物又はその立体異性体を、燃料成分、燃料添加剤又はそれらの組合せと混合することを含み、上式で、ZはH、O-R又はO-C(=O)Rであり;かつRはH、アルキル、シクロアルキル、アリール、アルカリール又はアラルキルであり、該イソプレノイド化合物の量が該燃料組成物の全重量に基づき少なくとも2%である、前記製造方法。
【請求項１６】
T90蒸留温度が282℃から338℃である、請求項15記載の製造方法。
【請求項１７】
前記イソプレノイド化合物の量が前記燃料組成物の全重量に基づき5重量%から90重量%である、請求項15記載の製造方法。
【請求項１８】
燃料の製造方法であって、燃料添加剤を式
【化６】
2010506037.tif 000006
を有するイソプレノイド化合物又はその立体異性体と混合することを含み、上式で、ZはH、O-R又はO-C(=O)Rであり;かつRはH、アルキル、シクロアルキル、アリール、アルカリール又はアラルキルである、前記製造方法。
【請求項１９】
式(I)又は(II)の前記イソプレノイド化合物がC15イソプレノイド出発物質から化学的に変換される、請求項15又は18記載の製造方法。
【請求項２０】
前記C15イソプレノイド出発物質が生物供給源から得られる、請求項19記載の製造方法。
【請求項２１】
前記C15イソプレノイド出発物質が
【化７】
2010506037.tif 000007
又はその立体異性体であり、該出発物質が水素化及びエステル化されて
【化８】
2010506037.tif 000008
又はその立体異性体を生成し、上式で、RはH、アルキル、シクロアルキル、アリール、アルカリール又はアラルキルである、請求項20記載の製造方法。
【請求項２２】
前記C15イソプレノイド出発物質が
【化９】
2010506037.tif 000009
又はその立体異性体であり、該出発物質が水素化及びエステル化されて
【化１０】
2010506037.tif 000010
又はその立体異性体を生成し、上式で、RはH、アルキル、シクロアルキル、アリール、アルカリール又はアラルキルである、請求項20記載の製造方法。
【請求項２３】
RがC1〜C3アルキルである、請求項21又は22記載の製造方法。
【請求項２４】
請求項15又は18記載の方法によって製造される燃料。
【請求項２５】
それぞれ独立して式(III)、(IV)又は(V)
【化１１】
2010506037.tif 000011
を有するかその立体異性体である少なくとも2つの異なる化合物を含む混合物を含む燃料組成物であって、上式で、RはC1〜C5アルキルであり、かつ該2つの化合物はそれぞれ、該燃料組成物の全重量に基づき少なくとも5重量%の量で存在する、前記燃料組成物。
【請求項２６】
内燃機関;該内燃機関に連結される燃料タンク;及び該燃料タンク内の請求項1〜9のいずれかに記載の燃料組成物;を含む乗物であって、該燃料組成物が該内燃機関を動かすために用いられる、前記乗物。
【請求項２７】
前記内燃機関がディーゼルエンジンである、請求項26記載の乗物。
【請求項２８】
前記燃料組成物の沸点が282℃から338℃、140℃から320℃、又は、200℃未満である、請求項1〜9のいずれかに記載の燃料組成物。
【請求項２９】
請求項1〜9のいずれかに記載の燃料組成物を燃焼させるステップを含む、エンジンを動かす方法。
【請求項３０】
燃料成分及び生体工学によって作られたC15イソプレノイド化合物を含む燃料組成物。
【請求項３１】
微生物を用いてファルネセンを調製し、該ファルネセンからファルネサンを調製し、及び該ファルネサンから燃料組成物を調製することによって製造される燃料組成物。
【請求項３２】
単純糖から誘導されるイソプレノイド化合物を含む燃料成分を含む燃料組成物。
【請求項３３】
単純糖から燃料組成物を製造する方法であって、
(a)C15イソプレノイド出発物質を製造することができる細胞を、該C15イソプレノイド出発物質を製造するのに適する条件下で該単純糖と接触させるステップと;
(b)該C15イソプレノイド出発物質を水素化して水素化C15イソプレノイド化合物を形成するステップと;
(c)該水素化C15イソプレノイド化合物を1つ以上の燃料成分又は燃料添加剤と混合して該燃料組成物を製造するステップと
を含む、前記製造方法。
【請求項３４】
前記単純糖がグルコース、ガラクトース、マンノース、フルクトース、リボース又はそれらの組合せである、請求項33記載の製造方法。
【請求項３５】
前記単純糖がグルコース、ガラクトース、マンノース、フルクトース、リボース又はそれらの組合せである、請求項32記載の燃料組成物。